(57)【要約】【目的】高跳び競技用バー支持具に係り、係止固定手段に工夫をこらし、所謂「グラツキ」を解消し、一旦固定された状態は強固に保持され且つ固定位置の移動及び再固定が簡便な操作で済ませるようにし、大勢の人が次々と使用する学校や一般的な競技場で使用されるのに最適なばかりでなく、在ってはならないポールに対しの上下動を防止し公認競技場でも使用し得る斬新な高跳び競技用バー支持具を提供するものである。【構成】ポールに上下動自在に取付けられる高跳び競技用バー支持具において、本体の先端上部に平面状を呈するバー載台が設けられる端部は支片部とし、他端部はカバー部を成す二つの型体で形成した枠体と、ポール挿通用孔が貫設され且つ端部には押ボタンが備えられた固定板ニ体を対向させて、この固定板先端部寄りの対向したニ体間に短発条を設けるとともに、端部寄りは細パイプをニ体間に貫通して設け、ニ体間の該パイプに発条を介装させて形成した係止固定手段部材とから構成され、枠体を形成する型体の側枠壁に、ポールの溝に適合する突起を設けたことを特徴とする高跳び競技用バー支持具。【選択図】  図４
2004237034.tif 000002
【特許請求の範囲】
【請求項１】
ポール１に上下動自在に取付けられる高跳び競技用バー支持具において、
本体５の先端上部に平面状を呈するバー載台４が設けられる端部は支片部６とし、他端部はカバー部３を成す二つの型体ＡとＢで形成した枠体と、
ポール挿通用孔１６が貫設され且つ端部１２には押ボタン１１が備えられた固定板ニ体ＣとＤを対向させて、この固定板１３先端部１４寄りの対向したニ体間に短発条２０を設けるとともに、端部１２寄りは細パイプ３０をニ体に貫通して設け、該パイプ３０のニ体間に発条４０を介装させて形成した係止固定部材とから構成されたことを特徴とする高跳び競技用バー支持具。
【請求項２】
枠体を形成する型体Ａ，Ｂの本体５側枠壁に、ポール１の溝２に適合する突起７を設けた請求項１記載の高跳び競技用  バー支持具。
【発明の詳細な説明】
【０００１】
【発明の属する技術分野】
本発明は走り高跳びや棒高跳び競技の用具に係り、特に所望位置に固定してバーを載置するバー支持具に関するものである。
この種の用具には正式な競技場で限定された競技者にのみ使用される施設用と、学校や一般の競技場で、教育や市民スポーツ用として多くの人々に使用されるものとに大別されるが、本発明は両者に適するように発明されたものである。
【０００２】
【従来の技術】
上記機種の代表的な従来品は、高さ目盛が表示されたポールを台座に立て、このポールに摺動自在に設けられた支持具にバーを載せ、支持具を上下に摺動して高低調節を行い、所望位置でハンドル螺子で支持具を締付け固定するものであった。
この方法は支持具をポールに点で固定するため、所謂「グラツキ」が生じてしまっていた。
そこで本発明人らは、これらの問題を解決するため先に実公平６−７７２５号を考案した。しかしながら、問題を完全には防止する事ができず、該考案品であっても多少ではあるが長期間使用した場合は前記の所謂「グラツキ」が発生してしまっていた。
【０００３】
【発明が解決しようとする課題】
本発明は以上の点に着目してなされたもので、従来品の、ポールに摺動自在に設けられるバー載置支持具の係止固定手段に工夫をこらし、所謂「グラツキ」問題の解決を図るものであって、具体的には、係止固定手段に自在鉤の原理を採用して、より完全な固定状態を得ようとするものであり、且つ簡便な操作によって作業を行なえるようにするものである。
【０００４】
【課題を解決するための手段】
本発明の高跳び競技用バー支持具は前記目的を達成するために、本体の先端上部に平面状を呈するバー載台が設けられる端部は支片部とし、他端部はカバー部を成す二つの型体ＡとＢで形成した枠体と、
ポール挿通用孔が貫設され且つ端部には押ボタンが備えられたニ体の固定板ＣとＤを対向させて、この対向した固定板先端部寄りのニ体間に短発条を設けるとともに、端部寄りはニ体を貫通して細パイプを設け、ニ体間の該パイプに発条を介装させて形成した係止固定部材とから構成されしたことを特徴としている。
【０００５】
上記枠体を形成する二つの型体Ａ，Ｂ本体の側枠壁に、ポールの溝に適合する突起を設けて本発明品とポールとの不要な回転を防止している。
【０００６】
【作  用】
本発明は、以上のような構成を有する高跳び競技用バー支持具を提供するものであるから、所望位置に支持具を移動固定する時は、枠体から露出している二つの押ボタン１１を同時に図中矢印方向に押せば、ニ体の固定板Ｃ，Ｄに貫通して設けられた細パイプ３０のニ体間に介装された発条４０が圧縮され、該固定板ニ体Ｃ，Ｄは平行状態を呈するところとなり、ポールとの固定状態が解かれ上下動自在となる。つまり、自在鉤二つでバー支持具をポールに係止固定した状態が解かれたことになるので、支持具は上下動自在となり所望位置に移動可能となる。
【０００７】
一方、該支持具をポールの所望位置に固定するときは、押している押ボタンを所望位置で放せば、固定板のＣは上方に、Ｄ体は下方に発条４０の反撥力で同時に反動するので固定板の端部方向の間隔は広がり、それぞれがポールに自在鉤の状態を呈するので瞬時に固定状態を強固に保持固定される。したがってこの固定状態では、ニ体の固定板Ｃ，Ｄの間隔は先端部の短発条２０の所よりは細パイプに介装された発条４０の方が広い事が重要である。
【０００８】
【発明の実施の形態】
以下に本発明の実施の形態について図面を参照して説明する。
図１は、本発明に係る高飛び競技用具をポールに取付けたときの状態のもので、図２は本発明の要部である係止固定手段部材を示し、図３はその係止固定手段部材を、二つの型体の内、一片体Ｂに収めた状態を示し、図４は本発明の作動を説明する一部切欠説明図である。以下順にその実施の形態につき詳細に説明する。
【０００９】
図１の本発明高飛び競技用バー支持具は、長手方向に溝２を有するポール１に上下動自在に取付け使用されるものであって、本体５の先端上部に平面状を呈するバー載台４が設けられる端部は支片部６とし、他端部はカバー部３を成す二つの型体ＡとＢでバー支持具枠体を形成している。
【００１０】
図２は本発明要部を成すポールに支持具を係止固定する手段部材を示していて、端部１２に押ボタン１１を一体的に備えたＣ，Ｄニ体の固定板１３を対向して設け、この固定板１の貫設された孔１６にポール１を挿通するとともに、該板の先端部１４寄りで対向したＣ，Ｄニ体間に短発条２０を設け、且つ押ボタン１１を備えた端部１２寄りには予め貫設されている孔１５に細パイプ３０を挿入している。
【００１１】
図３は、前記図２で説明の係止固定手段部材をニ体で形成される型体の内、片方体に収めた状態を下方から斜視したもので、図中符号４０で示された発条は、Ｃ，Ｄニ体の固定板１３に挿入された細パイプ３０に介装されたものである。尚、前記の細パイプ３０はニ体の固定板１３を貫通して挿入され、両端でそれぞれ適宜長が該固定板１３から露出している。
【００１２】
図４は、本発明のバー支持具をポール１に係止固定した状態を一部切欠で示したもので、図中符号７はポール１の溝２に嵌合される突起を示すもので、該突起７は本発明支持具とポールとが回転するのを防止する役目を果たすためのもので、各型体Ａ，Ｂの上下側枠壁に設けられることが効果を高める上で望ましい。
【００１３】
【発明の効果】
ポールに上下動自在に取付けて使用される高跳び競技用バー支持具に係る本発明は、本体の先端上部に平面状を呈するバー載台が設けられる端部は支片部とし、他端部はカバー部を成す二つ型体ＡとＢで形成した枠体と、
ポール挿通用孔が貫設され且つ端部には押ボタンが備えられた固定板ニ体ＣとＤを対向させて、この固定板先端部寄りの対向したニ体間に短発条を設けるとともに、端部寄りは細パイプをニ体間に貫通して設け、ニ体間の該パイプに発条を介装させて形成した係止固定手段部材とから構成され、また、枠体を形成するＡ，Ｂ型体の側枠壁に、ポールの溝に適合する突起を設けたものである。
本発明は以上説明のような構成を有するものであるから、固定のときはニ体の固定板が自在鉤の役目を果たすこととなり、その固定は強固なものとなっているばかりでなく、所望位置に移動する作業は、押ボタンを同時に押すだけで固定状態を解除できるので、その操作は簡単且つ容易である。
更に、再固定のときは押しているボタンから手を離せば、発条の反撥力によってニ体の固定板がポールに自在鉤の働きを瞬時に行うことができ且つ、確実な係止固定が反復して簡便になされる。したがって、多数の競技者や生徒が次々と使用する一般の競技場や学校などでの用具として最適なものと言える。
その上、従来品のハンドル螺子で締め付け固定するものと比べそのデザインが斬新である点、従来の点による固定から面による固定手段に変更され、バー支持具において絶対あってはならないポールに対しての上下動が防止され、載置されたバーが安定した状態で競技ができる点などから信頼性が頗る向上するなど数々の特徴を有している。
【図面の簡単な説明】
【図１】本発明の支持具を支柱に取付けたときの状態を示す図である。
【図２】本発明要部である係止固定手段部材を説明する図である。
【図３】図２の部材を枠体の内、片方の型体に収めた下方からの斜視図である。
【図４】図３を正面から一部切欠図で示した本発明の高跳び競技用バー支持具である。
【符号の説明】
１ポール    ２溝    ３カバー部    ４バー載台    ５本体    ６支片部
７突起    １１押ボタン    １２端部    １３固定板    １４先端部
１５，１６孔    ２０短発条    ３０細パイプ    ４０発条
【図１】
2004237034.tif 000003
【図２】
2004237034.tif 000004
【図３】
2004237034.tif 000005
【図４】
2004237034.tif 000006